(57)【要約】【課題】携帯時の端子蓋の誤開成を防止できる撮像装置の端子蓋ロック構造を提供する。【解決手段】ビデオカメラ１は、筐体の側面４に表示装置５をその前端を支点として回動自在に支持するとともに、筐体の後面８に端子蓋９の下端をヒンジ１０を介して結合してある。端子蓋９の上部側縁には段部１１を形成する。表示装置５の上部後端には、端子蓋９の段部１１と係合して端子蓋９の開成を阻止する舌片１４を設ける。表示装置格納部７の底面７ａと筐体の後面８との隅部に凹部１５を形成して、端子蓋９の側縁との間に指掛け隙間と設ける。【選択図】  図１
2004343631.tif 000002
【特許請求の範囲】
【請求項１】
筐体の側面に表示装置をその前端を支点として回動自在に支持するとともに、筐体の後面に端子蓋をヒンジ結合してなる撮像装置において、上記表示装置の後端に、端子蓋と係合してその開成を阻止する係止部を設けたことを特徴とする撮像装置の端子蓋ロック構造。
【請求項２】
上記端子蓋の下端をヒンジ結合するとともに、上記係止部を表示装置の上部後端から上記筐体の後面に沿って延出する舌片で構成し、該舌片の係合する段部を上記端子蓋の側縁に形成したことを特徴とする請求項１に記載の撮像装置の端子蓋ロック構造。
【請求項３】
上記筐体の後面で段部の付近に凹部を形成して、上記端子蓋の側縁との間に指掛け隙間と設けたことを特徴とする請求項２に記載の撮像装置の端子蓋ロック構造。
【請求項４】
上記凹部を表示装置格納部の底面と上記筐体の後面との隅部に形成したことを特徴とする請求項３に記載の撮像装置の端子蓋ロック構造。
【発明の詳細な説明】
【０００１】
【発明の属する技術分野】
本発明は、ビデオカメラやデジタルスチルカメラなどの撮像装置に採用される端子蓋ロック構造に関するものである。
【０００２】
【従来の技術】
ビデオカメラやデジタルスチルカメラなどの撮像装置には、外部機器と接続するための各種コネクタが筐体の後面に設けられている。これらのコネクタは、筐体の後面にヒンジ結合した端子蓋で覆われている。この端子蓋は側縁と筐体後面との間に指掛け隙間を設け、この隙間に指を掛けて開成するようにしてある。
【０００３】
【発明が解決しようとする課題】
ところで、端子蓋は裏面の突起を筐体後面の孔に押し込んで閉止するようにしてある。つまり、開閉操作を容易にしてあるため、閉止強度は必ずしも充分ではない。このため、携帯時に指掛け隙間に指を引っ掛けて、端子蓋を開いてしまう場合がある。
【０００４】
本発明は、このような事情に鑑みなされたもので、携帯時の端子蓋の誤開成を防止できる撮像装置の端子蓋ロック構造を提供することを目的としている。
【０００５】
【課題を解決するための手段】
上記課題を解決するための本発明は、筐体の側面に表示装置をその前端を支点として回動自在に支持するとともに、筐体の後面に端子蓋をヒンジ結合してなる撮像装置において、上記表示装置の後端に、端子蓋と係合してその開成を阻止する係止部を設けたことを特徴とする。
【０００６】
かかる構成によれば、撮像装置本体に表示装置を格納すると、その係止部が端子蓋に係合するので、携帯時の誤操作による端子蓋の開成を防止することができる。
【０００７】
上記端子蓋の下端をヒンジ結合するとともに、上記係止部を表示装置の上部後端から上記筐体の後面に沿って延出する舌片で構成し、該舌片の係合する段部を上記端子蓋の側縁に形成するのが好ましい。
【０００８】
かかる構成によれば、端子蓋を手前に倒して開くことができ、開閉操作が容易になるとともに、構造が簡単になり、コスト的に有利になる。
【０００９】
上記筐体の後面で段部の付近に凹部を形成して、上記端子蓋の側縁との間に指掛け隙間と設けるのが好ましい。
【００１０】
かかる構成によれば、この隙間に指を掛けて端子蓋を開くことができ、端子蓋の開成操作が容易になる。
【００１１】
上記凹部は表示装置格納部の底面と上記筐体の後面との隅部に形成するのが好ましい。
【００１２】
かかる構成によれば、指掛け用の隙間が格納状態の表示装置で隠され、外観が良くなる。
【００１３】
【発明の実施の形態】
以下、図面を参照して本発明の実施の形態を説明する。
図３と図４は本発明のビデオカメラを示している。
【００１４】
このビデオカメラ１はカメラ部２とＶＴＲ部３とを備え、カメラ部２のＶＴＲ部３と反対側の筐体側面４には液晶の表示装置５を設けてある。この表示装置５は、その前端を支点として回動自在に筐体側面４に支持されている。つまり、表示装置５はピン６を中心に約９０度回動することになる（図１参照）。また、表示装置５は筐体の側面４の格納部７に格納される。
【００１５】
カメラ部２の筐体の後面８には端子蓋９が設けられている。この端子蓋９は下端のヒンジ１０を介して筐体の後面８に結合されている。端子蓋９は上部を下部よりも幅広くして逆Ｌ字状に形成するとともに、上部側縁に段部１１を形成して側縁側を薄肉部１１ａにしてある。さらに、端子蓋９の裏面でＶＴＲ部３側の側縁部には、十文字状の突起１２が上下一対設けられている。これら突起１２が筐体後面８の矩形の孔１３に押し込まれて、端子蓋９が閉止状態に保持されることになる（図６参照）。
【００１６】
表示装置５は、その上部後端から筐体の後面８に沿って舌片（係止部）１４を延出して端子蓋９の段部１１に係合させてある。つまり、表示装置５を格納部７に格納すると、舌片１４が端子蓋９の段部１０に係合して端子蓋９をロックすることになる。また、表示装置５の格納部底面７ａと筐体後面８の隅部に凹部１５を形成して、端子蓋９の側縁との間に指掛け隙間と設けてある。よって、この隙間に指３０を掛けて端子蓋９を開けばよい（図２参照）。
【００１７】
図５は端子蓋９を取り外した状態を示している。端子蓋９で覆われる部分には、ＵＳＢコネクタ２０やイヤホンジャック２１、ＤＣジャック２２などの各種端子が設けられている。
【００１８】
端子蓋９は、十文字状の突起１２を筐体後面８の孔１３に押し込んで閉止されるので、開閉操作は容易であるが、閉止強度は必ずしも充分なものではない。そこで、格納状態の表示装置５を利用し、その舌片１４を端子蓋９の段部１１に係合して端子蓋９をロックしている。よって、誤って指掛け隙間に指３０を引っ掛けてしまっても、端子蓋９が開くことはない。
【００１９】
以上、本発明の一実施形態について説明したが、本発明はこれに限定されるものではなく、種々の変形が可能である。
【００２０】
【発明の効果】
以上のように本発明によれば、撮像装置本体に表示装置を格納すると、その係止部が端子蓋に係合するので、携帯時の誤操作による端子蓋の開成を防止することができる。
【００２１】
端子蓋の下端をヒンジ結合するとともに、係止部を表示装置の上部後端から筐体の後面に沿って延出する舌片で構成し、この舌片の係合する段部を端子蓋の側縁に形成すると、端子蓋を手前に倒して開くことができ、開閉操作が容易になるとともに、構造が簡単になり、コスト的に有利になる。
【００２２】
筐体の後面で段部の付近に凹部を形成して、端子蓋の側縁との間に指掛け隙間と設けると、この隙間に指を掛けて端子蓋を開くことができ、端子蓋の開成操作が容易になる。
【００２３】
凹部を表示装置格納部の底面と筐体の後面の隅部に形成すると、指掛け隙間が格納状態の表示装置で隠され、外観が良くなる。
【図面の簡単な説明】
【図１】本発明に係る実施形態を示すビデオカメラの底面図で、図４のＡ−Ａ線断面の部分を切り欠いて示す図である。
【図２】図１の表示装置を格納した状態を示す図である。
【図３】同ビデオカメラの側面図である。
【図４】同ビデオカメラの後面図である。
【図５】図４の端子蓋を取り外して示す図である。
【図６】同端子蓋の突起の係合状態を示す図である。
【符号の説明】
１  ビデオカメラ
２  カメラ部
３  ＶＴＲ部
４  筐体側面
５  表示装置
６  回動軸
７  表示装置格納部
８  筐体後面
９  端子蓋
１０  ヒンジ
１１  段部
１１ａ  薄肉部
１２  突起
１３  孔
１４  舌片
１５  凹部
【図１】
2004343631.tif 000003
【図２】
2004343631.tif 000004
【図３】
2004343631.tif 000005
【図４】
2004343631.tif 000006
【図５】
2004343631.tif 000007
【図６】
2004343631.tif 000008